(57)【特許請求の範囲】
【請求項１】
オーディオ機器を載置することが可能な載置用家具であって、
上面に天板が設けられ内部の前後方向の後方に収容部が区画形成されていて、上記天板には上記収容部を開放する切り欠き部が形成された中空箱型状の家具本体と、
この家具本体の上面の少なくとも長手方向の両端に所定の高さで立設された支持板と、
この支持板によって上記家具本体の天板の上方に所定の高さで水平に支持された上部載置板と、
上記家具本体の天板に前後方向に沿って所定の範囲で移動可能に設けられた下部載置板と
を具備したことを特徴とするオーディオ機器の載置用家具。
【請求項２】
上記家具本体の背面には、上記収容部を含む上記家具本体の内部を長手方向全長にわたって開放する開口部が形成されていることを特徴とする請求項１記載のオーディオ機器の載置用家具。
【請求項３】
上記家具本体は前面が開口し、内部は前後方向に沿って設けられた仕切り板によって複数の空間部に形成され、各空間部には引き出しが出し入れ可能に設けられているとともに、上記仕切り板の後部上端部はこの仕切り板の一部を除去して隣り合う空間部を連通させる連通部に形成されていることを特徴とする請求項１記載のオーディオ機器の載置用家具。
【請求項４】
上記上部載置板の後端は上記家具本体の背面よりも所定寸法後方へ突出していることを特徴とする請求項１記載のオーディオ機器の載置用家具。
【請求項５】
上記オーディオ機器は上記上部載置板に載置されていて、
上記上部載置板の前後方向後端部の長手方向中央部には、上記オーディオ機器に接続される電気コードを上記切り欠き部を通して上記収容部に収容するための挿通部が形成されていることを特徴とする請求項１記載のオーディオ機器の載置用家具。
【発明の詳細な説明】
【技術分野】
【０００１】
この発明はたとえば薄型テレビなどのオーディオ機器を載置するための載置用家具に関する。
【背景技術】
【０００２】
最近ではオーディオ機器であるテレビが薄型化する傾向にあり、それに伴ってテレビを載置するための載置用家具の形状も変化してきている。すなわち、従来の載置用家具は上面にテレビを単に載置することができるだけのものであったが、最近ではテレビを載置するだけでなく、家具として外観を損なうことのないよう、上記テレビを載置することができるようにすることが要求されている。
【０００３】
家具としての外観を損なうことがないようにするためには、たとえば薄型テレビに接続される電気コードができるだけ載置用家具の前面に露出しないようにする構成が望まれている。そのような載置用家具としては特許文献１に示される構成が知られている。
【０００４】
特許文献１に示された載置用家具は、背板を家具後端よりやや前方に配置し、その家具を壁面に当接させて載置し、壁面に設けたコンセントを背板との間の隙間に収め、背板のコンセントに対向する箇所にコンセントよりも大きい開口を形成するようにしている。上記家具の天板には上記開口に近い部分に配線孔を設ける。
【０００５】
それによって、天板に載置された薄型テレビに接続された電気コードを上記配線孔から上記背板に形成された開口を通すことで、この背板の背面側に位置するコンセントに接続することができる。
【特許文献１】特開２００１―８７５４号公報
【発明の開示】
【発明が解決しようとする課題】
【０００６】
このような構成によれば、上記コンセントに接続された電気コードは上記背板と上記壁面との間の空間部に収容され、載置用家具の前面にはほとんど露出することがないため、外観的には良好である。
【０００７】
しかしながら、上記背板と壁面との間の空間部は側方が上記載置用家具の左右一対の側板によって閉塞され、上面が天板によって閉塞されている。そのため、コンセントに対して電気コードを接続したり、取り外す場合、載置用家具をその背面が壁面から離れる位置まで移動させなければならないから、載置用家具の上面に薄型テレビを設置する際の作業性が非常に悪いということがあった。
【０００８】
とくに、載置用家具に載置される薄型テレビが大型化すると、それに伴って載置用家具も大型化するから、薄型テレビが載置された載置家具を移動させることが容易でないということがある。しかも、特許文献１の構成では壁面に設けたコンセントを載置用家具の背板との間に収めなければならないから、壁面のコンセントが設けられていない箇所には載置用家具を設置し難いということになる。
【０００９】
この発明は、オーディオ機器に接続される電気コードが外部に露出することがほとんどなく、しかもオーディ機器に対する電気コードの接続や取り外しを容易に行なうことができるようにしたオーディオ機器の載置用家具を提供することにある。
【課題を解決するための手段】
【００１０】
この発明は、オーディオ機器を載置することが可能な載置用家具であって、
上面に天板が設けられ内部の前後方向の後方に収容部が区画形成されていて、上記天板には上記収容部を開放する切り欠き部が形成された中空箱型状の家具本体と、
この家具本体の上面の少なくとも長手方向の両端に所定の高さで立設された支持板と、
この支持板によって上記家具本体の天板の上方に所定の高さで水平に支持された上部載置板と、
上記家具本体の天板に前後方向に沿って所定の範囲で移動可能に設けられた下部載置板と
を具備したことを特徴とするオーディオ機器の載置用家具にある。
【００１１】
上記家具本体の背面には、上記収容部を含む上記家具本体の内部を長手方向全長にわたって開放する開口部が形成されていることが好ましい。
【００１２】
上記家具本体は前面が開口し、内部は前後方向に沿って設けられた仕切り板によって複数の空間部に形成され、各空間部には引き出しが出し入れ可能に設けられているとともに、上記仕切り板の後部上端部はこの仕切り板の一部を除去して隣り合う空間部を連通させる連通部に形成されていることが好ましい。
【００１３】
上記上部載置板の後端は上記家具本体の背面よりも所定寸法後方へ突出していることが好ましい。
【００１４】
上記オーディオ機器は上記上部載置板に載置されていて、
上記上部載置板の前後方向後端部の長手方向中央部には、上記オーディオ機器に接続される電気コードを上記切り欠き部を通して上記収容部に収容するための挿通部が形成されていることが好ましい。
【発明の効果】
【００１５】
この発明によれば、上部載置板と下部載置板とにオーディオ機器を載置することができ、家具本体の後方に形成された収容部は天板に形成された切り欠き部によって上面が開放している。
【００１６】
そのため、上部載置板と下部載置板とにオーディオ機器を載置した場合、オーディオ機器に接続された電気コードを、家具本体を移動させずに上記収容部に収容することが可能となる。
【発明を実施するための最良の形態】
【００１７】
以下、この発明の一実施の形態を図面を参照しながら説明する。  
図１は載置用家具を示す正面図であって、この載置用家具は家具本体１を有する。この家具本体１は平面形状が矩形状で、前面が開口した箱型状に形成されている。この家具本体１の内部空間は複数、この実施の形態では２枚の仕切り板２（図５に示す）によって３つの空間部３ａ〜３ｃに区画されている。各空間部３ａ〜３ｃにはそれぞれ引き出し４が出し入れ可能に収容されている。
【００１８】
なお、各仕切り板２の両側面及び家具本体１の側板１ｃの内面には図４に示すようにそれぞれガイドレール５が前後方向に沿って設けられ、各引き出し４の両側外面には上記ガイドレール５に転動可能に係合するローラ６が設けられている。それによって、上記引き出し４は軽い力で出し入れ可能となっている。なお、側板１ｃの内面に設けられるガイドレール５は図示されていない。
【００１９】
図２、図３及び図５に示すように、上記家具本体１の天板１ａの長手方向中央部で、前後方向の後端部には切り欠き部８が後端面に開放して形成されている。３つの空間部３ａ〜３ｃのうち、中央に位置する空間部３ｂの後端部の一対の仕切り板２間には間仕切り板９が設けられている。この間仕切り板９は、一対の仕切り板２間の上記空間部３ｂの後端部側に収容部１１を区画形成している。上記収容部１１は上記天板１ａに形成された切り欠き部８によって家具本体１の上面に開口している。
【００２０】
上記仕切り板２の後端の上部は斜めに切り欠かれた連通部１２となっていて、その連通部１２によって上記仕切り板２によって隔別された３つの空間部３ａ〜３ｃ、つまり左右一対の空間部３ａ、３ｃと、中央の空間部３ｂに区画形成された収容部１１とを連通させている。
【００２１】
図５に示すように、上記家具本体１の背面板１ｂは、高さ寸法が全長にわたって家具本体１よりも低く設定されている。それによって、家具本体１の背面の天板１ａの後端の下方と背面板１ｂの上端との間には家具本体１の幅方向全長にわたる開口部１３が形成されている。それによって、上記収容部１１は上記開口部１３によって家具本体１の背面に開口している。
【００２２】
上記家具本体１の天板１ａの上面には、長手方向の両端及び中途部の２箇所の合計４箇所に支持板１４が立設されている。天板１ａの長手方向両端に設けられた一対の支持板１４は後端面を家具本体１の背面と面一にしている。４枚の支持板１４の先端面は図３に示すように上方に行くにつれて後方へ傾斜した傾斜面１４ａに形成されている。
【００２３】
４枚の支持板１４によって区画された３つの部分のそれぞれの上記天板１ａの上面には下部載置板１５が前後方向に所定の範囲で移動可能に設けられている。すなわち、図４に示すように、上記下部載置板１５の幅方向両端面には係合溝１６が前後方向に沿って所定の長さで形成されていて、この係合溝１６には上記支持板１４の下端部の両側面にそれぞれ所定間隔で突設された一対のガイドピン１７（各側面の１のガイドピン１７で図示）が係合している。
【００２４】
それによって、上記下部載置板１５は、上記係合溝１６の一端と他端とが一方のガイドピン１７と他方のガイドピン１７に当たる範囲で前後方向に沿って移動させることができるようになっている。上記下部載置板１５の後方への移動範囲は、上記天板１ａに形成された切り欠き部８を塞ぐことがないよう設定されている。
【００２５】
なお、図示しないが、４枚の支持板１４のうち、家具本体１の長手方向両端に立設された支持板１４の下端部には内面となる一方の側面だけに一対のガイドピン１７が設けられている。
【００２６】
４枚の支持板１４の上端には上部載置板１９が水平に支持されている。この上部載置板１９は図３に示すように前端が家具本体１の前面よりも内方に位置し、後端は同図にｅで示すように上記家具本体１の背面よりも後方へ突出している。
【００２７】
それによって、家具本体１の背面を図３に鎖線で示す壁面２１に接近させて設置したとき、上記上部載置板１９の後端面が壁面２１に当たることで、家具本体１の背面と壁面２１との間に隙間２２が生じる。
【００２８】
家具本体１の背面と壁面２１との間に隙間２２が生じれば、壁面２１の下端に幅木２３が設けられている場合であっても、上部載置板１９の後端面を壁面２１に接触させることで、家具本体１を壁面２１に沿って安定した状態で設置することができる。
【００２９】
図１に示すように、上記上部載置板１９の上面にはオーディオ機器としての薄型テレビ２５が載置され、上記下部載置板１５にはオーディオ機器としてのビデオデッキ２６が載置される。上記上部載置板１９の前後方向後端部の長手方向中央部には後端面に開放した挿通部としての凹部２７が形成されている。
【００３０】
そして、図３に示すように上記薄型テレビ２５に接続される各種の電気コードＣは上記凹部２７及び家具本体１の天板１ａに形成された切り欠き部８を通されて家具本体１の内部に区画形成された上記収容部１１に導入される。  
上記下部載置板１５に載置されるビデオデッキ２６に接続される各種の電気コードＣは上記天板１ａの切り欠き部８を通されて上記収容部１１に導入されている。
【００３１】
上記収容部１１には図示せぬ電源に接続されるテーブルタップの接続部２８が収容されていて、この凹部２７に上記薄型テレビ２５やビデオデッキ２６に給電するための電気コードＣが接続される。
【００３２】
上記テーブルタップの接続部２８に接続された図示しない電気コードは上記収容部１１から壁面２１と家具本体１の背面との隙間２２を通されて外部に導出され、図示せぬコンセントに接続される。薄型テレビ２５に接続される図示しないアンテナ線は壁面２１と家具本体１の背面との隙間２２を通されて上記収容部１１に収容され、ここから薄型テレビ２５やビデオデッキ２６に接続される。
【００３３】
このように構成された家具本体１によれば、上記テーブルタップの接続部２８やこの接続部２８に接続された電気コード、或いは薄型テレビ２５やビデオデッキ２６に接続されるアンテナ線や電気コードＣを上記収容部１１に収容することができる。
【００３４】
そのため、アンテナ線や電気コードＣを家具本体１の外部に露出させることなく、下部載置板１５に載置されたビデオデッキ２６や上部載置板１９に載置された薄型テレビ２５に配線することができる。
【００３５】
上記テーブルタップの接続部２８、アンテナ線或いは電気コードＣは上記収容部１１に収容されている。家具本体１の天板１ａには切り欠き部８が形成され、この切り欠き部８によって上記収容部１１の上面は開放している。
【００３６】
そのため、上記家具本体１を壁面２１に接近させて設置した状態で、家具本体１の前方から上記切り欠き部８を介して上記収容部１１に収容されたアンテナ線や電気コードＣなどを取り扱うことができるから、ビデオデッキ２６や薄型テレビ２５に対するアンテナ線や電気コードＣの接続や取り外しを容易に行なうことができる。
【００３７】
上記収容部１１は開口部１３によって家具本体１の背面に開口している。上記開口部１３は家具本体１の幅方向全長にわたって形成されている。そのため、家具本体１の外部から上記収容部１１への電気コードＣの収納や収容部１１に収容された電気コードＣの家具本体１の外部への引き出しなどを上記開口部１３及び仕切り板２の後端に形成された連通部１２を通じて比較的容易に、しかも家具本体１の空間部３ａ〜３ｃを利用して行うことができる。
【００３８】
ビデオデッキ２６が載置される下部載置板１５を前後方向に所定の範囲で移動させることができるようにした。そのため、ビデオデッキ２６に対する配線を行う際、上記下部載置板１５を前方へスライドさせることで、その背面に対する配線を比較的容易に行うことができる。
【００３９】
上記一実施の形態では上部載置板の幅方向中央部の後端に薄型テレビに接続される電気コードなどを通すための凹部を後端面に開放させて形成したが、凹部を形成せず、挿通孔を穿設し、その挿通孔に樹脂製のブッシュを設け、そのブッシュに電気コードなどを通すようにしてもよい。
【００４０】
また、家具本体の天板に立設された支持板は、少なくとも天板の長手方向両端に設ければよく、また中途部に支持板を設ける場合、その支持板の枚数は２枚でなく、１枚或いは３枚以上であってもよい。
【図面の簡単な説明】
【００４１】
【図１】この発明の一実施の形態を示す載置用家具の正面図。
【図２】上記載置用家具の上部載置板を長手方向の中央部で切断した平面図。
【図３】上記載置用家具の拡大側面図。
【図４】家具本体の引き出し及び上下の載置板が設けられた部分の拡大断面図。
【図５】家具本体の収容部が形成された部分の斜視図。
【符号の説明】
【００４２】
１…家具本体、２…仕切り板、３ａ〜３ｃ…空間部、４…引き出し、８…切り欠き部、１１…収容部、１２…連通部、１３…開口部、１４…支持板、１５…下部載置板、１９…上部載置板、２５…薄型テレビ（オーディオ機器）、２６…ビデオデッキ（オーディオ機器）。
【図１】
0004949214.tif 000002
【図２】
0004949214.tif 000003
【図３】
0004949214.tif 000004
【図４】
0004949214.tif 000005
【図５】
0004949214.tif 000006